【手続補正書】
【提出日】平成28年8月3日(2016.8.3)
【手続補正１】
【補正対象書類名】特許請求の範囲
【補正対象項目名】全文
【補正方法】変更
【補正の内容】
【特許請求の範囲】
【請求項１】
撮像情報と付加画像情報とを重畳して表示装置に表示する表示手段と、
前記付加画像情報と、前記付加画像情報の生成に係る付加画像情報生成手段を特定する特定情報と、を関連付けて関連データとして記憶装置に記録する記録手段と、
前記表示装置に表示されている前記付加画像情報に関連付けられて前記記憶装置に記録されている前記特定情報に基づいて、前記付加画像情報生成手段を特定し、前記表示装置に表示されている前記付加画像情報を、前記特定した前記付加画像情報生成手段によって生成された他の付加画像情報に更新するか制御する更新制御手段と、
を有し、
前記表示手段は、撮像情報と前記更新制御手段による制御に従った付加画像情報とを重畳して前記表示装置に表示する情報処理装置。
【請求項２】
入力データを取得する入力データ取得手段と、
前記入力データ取得手段により取得された前記入力データを、前記付加画像情報生成手段に送信し、前記入力データに基づき前記付加画像情報生成手段で生成された付加画像情報を取得する取得手段と、
を更に有し、
前記表示手段は、撮像情報と、前記取得手段で取得された前記付加画像情報と、を重畳して前記表示装置に表示し、
前記記録手段は、前記入力データと、前記付加画像情報と、前記特定情報と、を関連付けて関連データとして記憶装置に記録する請求項１記載の情報処理装置。
【請求項３】
前記更新制御手段は、前記入力データ取得手段で再取得された入力データと、前記記憶装置に記憶されている前記入力データと、に差分が存在する場合、前記表示装置に表示されている前記付加画像情報を、前記特定した前記付加画像情報生成手段によって生成された他の付加画像情報に更新する請求項２記載の情報処理装置。
【請求項４】
前記入力データ取得手段は、前記表示装置に表示されている前記付加画像情報が選択された場合、前記関連データで前記付加画像情報と関連付けられている入力データを再取得し、
前記更新制御手段は、前記入力データ取得手段で再取得された入力データと、前記記憶装置に記憶されている前記入力データと、に差分が存在する場合、前記表示装置に表示されている前記付加画像情報を、前記特定した前記付加画像情報生成手段によって生成された他の付加画像情報に更新する請求項３記載の情報処理装置。
【請求項５】
前記表示手段は、撮像情報と付加画像情報とを重畳して表示装置に表示すると共に、前記付加画像情報の更新方法に係るオブジェクトを前記表示装置に表示し、
前記更新制御手段は、選択されたオブジェクトに基づいて、前記表示装置に表示されている前記付加画像情報を、前記特定した前記付加画像情報生成手段によって生成された他の付加画像情報に更新するか制御する請求項１乃至４何れか１項記載の情報処理装置。
【請求項６】
被写体を撮像し、前記撮像情報を取得する撮像手段を更に有する請求項１乃至５何れか１項記載の情報処理装置。
【請求項７】
前記記録手段は、前記撮像情報を更に関連付けて関連データとして前記記憶装置に記憶し、
前記記録手段により前記記憶装置に記憶された前記関連データを、ネットワークを介して通信可能な他の情報処理装置に送信する送信手段を更に有する請求項１乃至６何れか１項記載の情報処理装置。
【請求項８】
撮像情報と、付加画像情報と、前記付加画像情報の生成に係る付加画像情報生成手段を特定する特定情報と、が関連付けられた関連データを受信する受信手段と、
前記関連データで関連付けられている前記撮像情報と前記付加画像情報とを重畳して表示装置に表示する表示手段と、
前記特定情報に基づいて、前記付加画像情報生成手段を特定し、前記関連データで前記撮像情報と関連付けられている前記付加画像情報を、前記特定した前記付加画像情報生成手段によって生成された他の付加画像情報に更新するか制御する更新制御手段と、
を有し、
前記表示手段は、前記撮像情報と前記更新制御手段による制御に従った付加画像情報とを重畳して前記表示装置に表示する情報処理装置。
【請求項９】
前記受信手段は、前記関連データを、ネットワークを介して通信可能な他の情報処理装置より受信し、
前記更新制御手段は、前記他の情報処理装置と前記情報処理装置とのユーザの言語情報が異なる場合、前記付加画像情報生成手段を特定し、前記他の情報処理装置のユーザの言語情報の前記付加画像情報を、前記特定した前記付加画像情報生成手段によって生成された前記情報処理装置のユーザの言語情報の付加画像情報に更新する請求項８記載の情報処理装置。
【請求項１０】
前記受信手段は、前記関連データを、ネットワークを介して通信可能な他の情報処理装置より受信し、
前記更新制御手段は、前記他の情報処理装置と前記情報処理装置とのユーザの年齢層が異なる場合、前記付加画像情報生成手段を特定し、前記他の情報処理装置のユーザの年齢層用の前記付加画像情報を、前記特定した前記付加画像情報生成手段によって生成された前記情報処理装置のユーザの年齢層用の付加画像情報に更新する請求項８記載の情報処理装置。
【請求項１１】
第１の情報処理装置と、第２の情報処理装置と、を含むシステムであって、
前記第１の情報処理装置は、
撮像情報と付加画像情報とを重畳して前記第１の情報処理装置の表示装置に表示する第１の表示手段と、
撮像情報と、付加画像情報と、前記付加画像情報の生成に係る付加画像情報生成手段を特定する特定情報と、を関連付けた関連データを前記第２の情報処理装置に送信する送信手段と、
を有し、
前記第２の情報処理装置は、
前記関連データを受信する受信手段と、
前記関連データで関連付けられている前記撮像情報と前記付加画像情報とを重畳して前記第２の情報処理装置の表示装置に表示する第２の表示手段と、
前記特定情報に基づいて、前記付加画像情報生成手段を特定し、前記関連データで前記撮像情報と関連付けられている前記付加画像情報を、前記特定した前記付加画像情報生成手段によって生成された他の付加画像情報に更新するか制御する更新制御手段と、
を有し、
前記第２の表示手段は、前記撮像情報と前記更新制御手段による制御に従った付加画像情報とを重畳して前記第２の情報処理装置の表示装置に表示するシステム。
【請求項１２】
情報処理装置が実行する情報処理方法であって、
撮像情報と付加画像情報とを重畳して表示装置に表示する表示ステップと、
前記付加画像情報と、前記付加画像情報の生成に係る付加画像情報生成手段を特定する特定情報と、を関連付けて関連データとして記憶装置に記録する記録ステップと、
前記表示装置に表示されている前記付加画像情報に関連付けられて前記記憶装置に記録されている前記特定情報に基づいて、前記付加画像情報生成手段を特定し、前記表示装置に表示されている前記付加画像情報を、前記特定した前記付加画像情報生成手段によって生成された他の付加画像情報に更新するか制御する更新制御ステップと、
を含み、
前記表示ステップでは、撮像情報と前記更新制御ステップによる制御に従った付加画像情報とを重畳して前記表示装置に表示する情報処理方法。
【請求項１３】
情報処理装置が実行する情報処理方法であって、
撮像情報と、付加画像情報と、前記付加画像情報の生成に係る付加画像情報生成手段を特定する特定情報と、が関連付けられた関連データを受信する受信ステップと、
前記関連データで関連付けられている前記撮像情報と前記付加画像情報とを重畳して表示装置に表示する表示ステップと、
前記特定情報に基づいて、前記付加画像情報生成手段を特定し、前記関連データで前記撮像情報と関連付けられている前記付加画像情報を、前記特定した前記付加画像情報生成手段によって生成された他の付加画像情報に更新するか制御する更新制御ステップと、
を含み、
前記表示ステップでは、前記撮像情報と前記更新制御ステップによる制御に従った付加画像情報とを重畳して前記表示装置に表示する情報処理方法。
【請求項１４】
第１の情報処理装置と、第２の情報処理装置と、を含むにおける情報処理方法であって、
前記第１の情報処理装置が、撮像情報と付加画像情報とを重畳して前記第１の情報処理装置の表示装置に表示する第１の表示ステップと、
前記第１の情報処理装置が、撮像情報と、付加画像情報と、前記付加画像情報の生成に係る付加画像情報生成手段を特定する特定情報と、を関連付けた関連データを前記第２の情報処理装置に送信する送信ステップと、
前記第２の情報処理装置が、前記関連データを受信する受信ステップと、
前記第２の情報処理装置が、前記関連データで関連付けられている前記撮像情報と前記付加画像情報とを重畳して前記第２の情報処理装置の表示装置に表示する第２の表示ステップと、
前記第２の情報処理装置が、前記特定情報に基づいて、前記付加画像情報生成手段を特定し、前記関連データで前記撮像情報と関連付けられている前記付加画像情報を、前記特定した前記付加画像情報生成手段によって生成された他の付加画像情報に更新するか制御する更新制御ステップと、
を含み
前記第２の表示ステップでは、前記撮像情報と前記更新制御ステップによる制御に従った付加画像情報とを重畳して前記第２の情報処理装置の表示装置に表示する情報処理方法。
【請求項１５】
コンピュータに、
撮像情報と付加画像情報とを重畳して表示装置に表示する表示ステップと、
前記付加画像情報と、前記付加画像情報の生成に係る付加画像情報生成手段を特定する特定情報と、を関連付けて関連データとして記憶装置に記録する記録ステップと、
前記表示装置に表示されている前記付加画像情報に関連付けられて前記記憶装置に記録されている前記特定情報に基づいて、前記付加画像情報生成手段を特定し、前記表示装置に表示されている前記付加画像情報を、前記特定した前記付加画像情報生成手段によって生成された他の付加画像情報に更新するか制御する更新制御ステップと、
を実行させ、
前記表示ステップでは、撮像情報と前記更新制御ステップによる制御に従った付加画像情報とを重畳して前記表示装置に表示するプログラム。
【請求項１６】
コンピュータに、
撮像情報と、付加画像情報と、前記付加画像情報の生成に係る付加画像情報生成手段を特定する特定情報と、が関連付けられた関連データを受信する受信ステップと、
前記関連データで関連付けられている前記撮像情報と前記付加画像情報とを重畳して表示装置に表示する表示ステップと、
前記特定情報に基づいて、前記付加画像情報生成手段を特定し、前記関連データで前記撮像情報と関連付けられている前記付加画像情報を、前記特定した前記付加画像情報生成手段によって生成された他の付加画像情報に更新するか制御する更新制御ステップと、
を実行させ、
前記表示ステップでは、前記撮像情報と前記更新制御ステップによる制御に従った付加画像情報とを重畳して前記表示装置に表示するプログラム。
【手続補正２】
【補正対象書類名】明細書
【補正対象項目名】０００５
【補正方法】変更
【補正の内容】
【０００５】
そこで、本発明の情報処理装置は、撮像情報と付加画像情報とを重畳して表示装置に表示する表示手段と、前記付加画像情報と、前記付加画像情報の生成に係る付加画像情報生成手段を特定する特定情報と、を関連付けて関連データとして記憶装置に記録する記録手段と、前記表示装置に表示されている前記付加画像情報に関連付けられて前記記憶装置に記録されている前記特定情報に基づいて、前記付加画像情報生成手段を特定し、前記表示装置に表示されている前記付加画像情報を、前記特定した前記付加画像情報生成手段によって生成された他の付加画像情報に更新するか制御する更新制御手段と、を有し、前記表示手段は、撮像情報と前記更新制御手段による制御に従った付加画像情報とを重畳して前記表示装置に表示する。